(57)【要約】      （修正有）【課題】ダーツの直進性と推進力を確保し、ダーツの回転を防止するダーツの羽根構造を提供する。【解決手段】シャフトの後部の切り溝に差込んだ二枚の羽根を有するダーツの羽根構造であって、切り溝は、絞りＸ字形の差込み口を有する構造であり、差込み口から二枚の羽根をクロスして取付けた際に、二枚の羽根で形成される上側に位置する羽根片間と、下側に位置する羽根片間が、鋭角空間で、二枚の羽根で形成される左側に位置する羽根片間と、右側に位置する羽根片間が、鈍角空間を形成する構成である。【選択図】図１
0003160281.tif 000002
【実用新案登録請求の範囲】
【請求項１】
シャフトの先部に設けたチップと、このシャフトの後部に設けた切り溝と、この切り溝に差込んだ二枚の羽根と、でなるダーツの羽根構造であって、
前記切り溝は、前記後部の端面において、Ｘ字形を絞り形成した、絞りＸ字形の差込み口を有する構造であり、この差込み口を利用して、前記二枚の羽根をクロスして取付けた際に、この羽根は、絞りＸ字形を呈し、前記シャフトの後部より視認した際に、二枚の羽根で形成される上側に位置する羽根片間と、下側に位置する羽根片間が、鋭角空間で、また、この二枚の羽根で形成される左側に位置する羽根片間と、右側に位置する羽根片間が、鈍角空間を形成する構成としたダーツの羽根構造。
【請求項２】
請求項１に記載のダーツの羽根構造であって、
前記二枚の羽根を、その軸方向で、折曲げて折曲げ端部を形成し、この各羽根の左右側に位置する折曲げ端部が平行になるとともに、この各羽根の上下側に位置する折曲げ端部が同じ折曲げ線上に位置する構成としたダーツの羽根構造。
【請求項３】
請求項１に記載のダーツの羽根構造であって、
前記二枚の羽根を、前記絞りＸ字形を呈する切り溝を利用し、絞りＸ字形に設ける構造とし、前記ダーツの回転防止を可能とする構成としたダーツの羽根構造。
【考案の詳細な説明】
【技術分野】
【０００１】
本考案は、ダーツの回転防止を可能とする構成としたダーツの羽根構造に関する。
【背景技術】
【０００２】
従来、ダーツの回転防止（ダーツの直進性）を可能とする構成としたダーツの羽根構造に関しては、種々の構造が提案されている。
【０００３】
その一例は、羽根（フィン）の放射方向の外方端部分を折曲げ形成し、その長手方向（ダーツの軸方向）に折曲げ端片を形成した構造であり、この折曲げ端片を利用して回転力と、推進力を生成することを意図する。この構造に関するものとして、実開昭５２−３９２６７号の「投てき及び捕捉玩具」（文献１）と、実公昭７−１６７８４号の「飛矢」（文献２）、又は特表２０００−５１００２５の「練習用槍」（文献３）が挙げられる。
【０００４】
その他として、羽根を軸方向で捻り、この羽根の基端部と、開放部とが、軸芯に対して偏倚する構造として、この羽根の捻りを利用して回転力と、推進力を生成することを意図する。この構造に関するものとして、特開平７−３２８１５８の「投擲具」（文献４）が挙げられる。
【０００５】
【特許文献１】実開昭５２−３９２６７号
【特許文献２】実公昭７−１６７８４号
【特許文献３】特表２０００−５１００２５
【特許文献４】特開平７−３２８１５８
【考案の概要】
【考案が解決しようとする課題】
【０００６】
以上で説明した文献１〜文献３は、シャフトの後部の端面において、十字形に設けた羽根の放射方向の端部を、折曲げ形成し、折曲げ端片を形成する構造である。従って、回転力は生成されると考えられる。しかし、投てき時の風を捉えて、直線的な流れに沿った投てきが保証されている構造とは考えられない。従って、ダーツの飛行方向の直進性と、競技者が望む方向への投てきができないものと考えられる。
【０００７】
尚、文献４では、投てき時に、風の流れをランダムに捉えて、飛行距離の確保と、空気抵抗の減少化等を意図する構造である。しかし、本体のスクリュー部が、風の流れを螺旋状に捉えて整流するものであり、前記文献１〜文献３と同様に、直線的な流れに沿った投てきと、ダーツの飛行方向の直進性と、競技者が望む方向への投てき等に関して、必ずしも、十分とは考えられない。
【課題を解決するための手段】
【０００８】
請求項１の考案は、二枚の羽根で形成される上側に位置する羽根片間と、下側に位置する羽根片間が、鋭角空間で、また、この二枚の羽根で形成される左側に位置する羽根片間と、右側に位置する羽根片間が、鈍角空間を形成する構成としたダーツの羽根構造であり、ダーツの直進性と、推進力とを確保すること、この直進性と、推進力とを確保することで、素人でも、楽しく投てきを行えること、等を意図する。また、この請求項１の考案は、絞りＸ字形の差込み口を有する切り溝に、二枚の羽根を差込み支持する構造を利用して、この二枚の羽根の風に対する抵抗力の向上と、破損の減少化等を図ることを意図する。
【０００９】
請求項１は、シャフトの先部に設けたチップと、このシャフトの後部に設けた切り溝と、この切り溝に差込んだ二枚の羽根と、でなるダーツの羽根構造であって、
前記切り溝は、前記後部の端面において、Ｘ字形を絞り形成した、絞りＸ字形の差込み口を有する構造であり、この差込み口を利用して、前記二枚の羽根をクロス（絞りＸ字形のクロス）して取付けた際に、この羽根は、絞りＸ字形を呈し、前記シャフトの後部より視認した際に、二枚の羽根で形成される上側に位置する羽根片間と、下側に位置する羽根片間が、鋭角空間で、また、この二枚の羽根で形成される左側に位置する羽根片間と、右側に位置する羽根片間が、鈍角空間を形成する構成としたダーツの羽根構造である。
【００１０】
請求項２の考案は、請求項１の目的を達成し、かつダーツの直進性と、推進力とを確保し易くして、希望する的への投てきと、素人でも、楽しく投てきが行える構造を提案する。
【００１１】
請求項２は、請求項１に記載のダーツの羽根構造であって、
前記二枚の羽根を、その軸方向で、折曲げて折曲げ端部を形成し、この各羽根の左右側に位置する折曲げ端部が平行になるとともに、この各羽根の上下側に位置する折曲げ端部が同じ折曲げ線上に位置する構成としたダーツの羽根構造である。
【００１２】
請求項３の考案は、請求項１の目的を達成し、かつダーツの直進性と、推進力とを確保し、しかも、ダーツの回転防止を図ることで、希望する的への投てきと、素人でも、楽しく投てきが行える構造を提案する。
【００１３】
請求項３は、請求項１に記載のダーツの羽根構造であって、
前記二枚の羽根を、前記絞りＸ字形を呈する切り溝を利用し、絞りＸ字形に設ける構造とし、前記ダーツの回転防止を可能とする構成としたダーツの羽根構造である。
【考案の効果】
【００１４】
請求項１の考案は、シャフトの先部に設けたチップと、シャフトの後部に設けた切り溝と、切り溝に差込んだ二枚の羽根と、でなるダーツの羽根構造であって、
切り溝は、後部の端面において、Ｘ字形を絞り形成した、絞りＸ字形の差込み口を有する構造であり、差込み口を利用して、二枚の羽根をクロスして取付けた際に、羽根は、絞りＸ字形を呈し、シャフトの後部より視認した際に、二枚の羽根で形成される上側に位置する羽根片間と、下側に位置する羽根片間が、鋭角空間で、また、二枚の羽根で形成される左側に位置する羽根片間と、右側に位置する羽根片間が、鈍角空間を形成する構成としたダーツの羽根構造である。
【００１５】
従って、請求項１は、二枚の羽根で形成される上側に位置する羽根片間と、下側に位置する羽根片間が、鋭角空間で、また、この二枚の羽根で形成される左側に位置する羽根片間と、右側に位置する羽根片間が、鈍角空間を形成する構成としたダーツの羽根構造であり、ダーツの直進性と、推進力とを確保すること、この直進性と、推進力とを確保することで、素人でも、楽しく投てきを行えること、等の特徴がある。また、この請求項１は、絞りＸ字形の差込み口を有する切り溝に、二枚の羽根を差込み支持する構造を利用して、この二枚の羽根の風に対する抵抗力の向上と、破損の減少化等が図れる実益がある。
【００１６】
請求項２の考案は、請求項１に記載のダーツの羽根構造であって、
二枚の羽根を、軸方向で、折曲げて折曲げ端部を形成し、各羽根の左右側に位置する折曲げ端部が平行になるとともに、各羽根の上下側に位置する折曲げ端部が同じ折曲げ線上に位置する構成としたダーツの羽根構造である。
【００１７】
従って、請求項２は、請求項１の目的を達成し、かつダーツの直進性と、推進力とを確保し易くして、希望する的への投てきと、素人でも、楽しく投てきが行える構造を提案できる。
【００１８】
請求項３の考案は、請求項１に記載のダーツの羽根構造であって、
二枚の羽根を、絞りＸ字形を呈する切り溝を利用し、絞りＸ字形に設ける構造とし、ダーツの回転防止を可能とする構成としたダーツの羽根構造である。
【００１９】
従って、請求項３は、請求項１の目的を達成し、かつダーツの直進性と、推進力とを確保し、しかも、ダーツの回転防止を図ることで、希望する的への投てきと、素人でも、楽しく投てきが行える構造を提案できる。
【図面の簡単な説明】
【００２０】
【図１】第一実施例を示したダーツの全体斜視図
【図２】第一実施例を示したダーツの全体平面図
【図３】第一実施例を示したダーツの端面図
【図４】第二実施例を示したダーツの全体斜視図
【図５】第二実施例を示したダーツの全体平面図
【図６】第二実施例を示したダーツの端面図
【図７】本考案のダーツと的を示した、投てき時の模式図
【考案を実施するための形態】
【００２１】
図中１はダーツＡのシャフトで、このシャフト１の先部１ａにはチップ２を設けるとともに、その収斂形状（筆記具の先端形状）の後部１ｂには、二枚の羽根３、３（羽根３とする）を差込む、以下に詳述する二条でクロス形状の切り溝５、５（切り溝５とする）を設ける。
【００２２】
この切り溝５は、図３、又は図６の如く、シャフト１の後部１ｂの端面１００において、Ｘ字形を絞り形成した、絞りＸ字形５００の差込み口５０１を形成する。この差込み口５０１には、この羽根３の先端を、差込み口５０１より差込み、かつ、この羽根３の先端を、切り溝５の底部５０２に至らしめる。この羽根３の差込み操作で、図２と、図４の如く、羽根３の軸方向Ａ１の略１／３が、切り溝５に差込まれ、かつセット（固止）される。これにより、羽根３の前部は、固定されていることで、このシャフト１の投てき方向の風を受けて、直線性が担持されると考えられ、また、その後部は、自由度が与えられているとともに、揺れ動作が付与されることで、推進力が担持されると考えられる。
【００２３】
以上の構造となっている羽根３の形態を、第一実施例を示した、図１〜図３を参照して、さらに詳述すると、切り溝５は、絞りＸ字形５００の差込み口５０１を有する構造であり、この差込み口５０１を利用して、羽根３を取り付ける。この取付けられた羽根３を、シャフト１の後部１ｂより視認した際に、羽根３で形成される上側３ａに位置する羽根片３００間と、下側３ｂに位置する羽根片３０１間が、鋭角空間Ｙで、また、二枚の羽根で形成される左側３ｃに位置する羽根片３０２間と、右側３ｄに位置する羽根片３０３間が、鈍角空間Ｚを形成する構成である。この鋭角空間Ｙと、鈍角空間Ｚとを構成した特徴は、前述した如く、ダーツの直進性と、推進力とを確保できること、また、直進性と、推進力との確保は、素人でも、楽しく投てきを行えること、等が可能となる。また、第二実施例を、図４〜図６を参照して、さらに詳述すると、切り溝５の構造は、前述の第一実施例と同様であるが、羽根３の構造において相違があり、各羽根３を、ダーツＡの軸方向Ａ１で、それぞれ折曲げて折曲げ端部３０４〜３０７を形成し、各羽根３の上下側３ａ、３ｂの折曲げ端部３０４、３０５、又は３０６、３０７において、その左右に隣接する関係となる、この上下側３ａの折曲げ端部３０４、３０５、又は３０６、３０７が平行Ｏになる。また、各羽根３の上下側３ａ、３ｂ（左右側３ｃ、３ｄ同士と、）の折曲げ端部３０４、３０５、又は３０６、３０７において、その上下に位置する折曲げ端部３０４、３０５、又は３０６、３０７は、同じ折曲げ線Ｐ１、Ｐ２上に位置する構成である。従って、この第二実施例では、前記第一実施例の特徴を確実に成し得ると考えられる。尚、この折曲げ端部３０４〜３０７の折曲げ寸法は、羽根３の放射方向Ａ２（ダーツＡの放射方向Ａ２）の略１／４とすることで、この第二実施例の特徴が発揮できる。
【００２４】
図中６は的で、この的６のセグメント６００に向って、人Ｈが投てきを（ゲーム）する状態を図７に示している。
【符号の説明】
【００２５】
１            シャフト
１ａ          先部
１ｂ          後部
１００        端面
２            チップ
３            羽根
３ａ          上側
３ｂ          下側
３ｃ          左側
３ｄ          右側
３００        羽根片
３０１        羽根片
３０２        羽根片
３０３        羽根片
３０４        折曲げ端部
３０５        折曲げ端部
３０６        折曲げ端部
３０７        折曲げ端部
５            切り溝
５００        絞りＸ字形
５０１        差込み口
５０２        底部
６            的
６００        セグメント
Ａ            ダーツ
Ａ１          軸方向
Ａ２          放射方向
Ｈ            人
Ｙ            鋭角空間
Ｚ            鈍角空間
О            平行
Ｐ１          折曲げ線
Ｐ２          折曲げ線
【図１】
0003160281.tif 000003
【図２】
0003160281.tif 000004
【図３】
0003160281.tif 000005
【図４】
0003160281.tif 000006
【図５】
0003160281.tif 000007
【図６】
0003160281.tif 000008
【図７】
0003160281.tif 000009